(57)【要約】【課題】毛髪束を容易且つ確実に所定の形状に巻回し、その形状を保持することができる毛髪保持具を提供すること。【解決手段】一端の開口部２１から他端の開口部２２に向けて毛髪束３を挿通可能にシートにより構成された扁平形状の筒状体２からなり、前記筒状体２の一方の面を形成するシート２３Ａは、オスのメカニカルファスナー５Ａと係合する係合シートからなり、該一方の面を形成するシート２３Ａのテーバーこわさが０．４ｍＮ・ｍ以下であり、前記筒状体２の他方の面を形成するシート２３Ｂは、そのテーバーこわさが前記一方の面を形成するシート２３Ａのテーバーこわさよりも大きく、前記筒状体２の他方の面には、少なくとも前記一端の開口部２１の近傍に、前記係合シートと係合し得るオスのメカニカルファスナー５Ａが設けられている。【選択図】    図１
2004222766.tif 000002
【特許請求の範囲】
【請求項１】
一端の開口部から他端の開口部に向けて毛髪束を挿通可能にシートにより構成された扁平形状の筒状体からなり、
前記筒状体の一方の面を形成するシートは、オスのメカニカルファスナーと係合する係合シートからなり、該一方の面を形成するシートのテーバーこわさが０．４ｍＮ・ｍ以下であり、
前記筒状体の他方の面を形成するシートは、そのテーバーこわさが前記一方の面を形成するシートのテーバーこわさよりも大きく、
前記筒状体の他方の面には、少なくとも前記一端の開口部の近傍に、前記係合シートと係合し得るオスのメカニカルファスナーが設けられている毛髪保持具。
【請求項２】
前記メカニカルファスナーは、前記筒状体の他方の面における前記一端の開口部の近傍から長手方向中央部の近傍に亘って設けられている請求項１記載の毛髪保持具。
【請求項３】
前記係合シートと係合し得るオスのメカニカルファスナーが、前記筒状体の他方の面における前記他端の開口部の近傍にも設けられている請求項１又は２記載の毛髪保持具。
【請求項４】
前記筒状体には、その巻径に対応して目印が付されている請求項１〜３の何れかに記載の毛髪保持具。
【請求項５】
一端の開口部から他端の開口部に向けて毛髪束を挿通可能にシートにより構成された扁平形状の筒状体からなり、
前記筒状体の一方の面を形成するシートは、そのテーバーこわさが０．４ｍＮ・ｍ以下であり、
前記筒状体の他方の面を形成するシート材は、基材シートと該基材シートの表面にその長手方向に亘って貼り合わされた係合シートとからなり、該他方の面を形成するシート材のテーバーこわさが前記一方の面を形成するシートのテーバーこわさよりも大きく、
前記筒状体の一端の開口部の端部における少なくとも前記他方の面を形成するシート材は、該端部から該筒状体の長手方向に一体的に延出する延設部を有し、
前記他方の面を形成するシート材から延出する前記延設部には、前記筒状体の一端の開口部と連通する挿通開口部が形成されており、該他方の面を形成するシート材から延出する該延設部又は前記一方の面を形成するシートから延出する該延設部における該一方の面側に、前記係合シートと係合し得るオスのメカニカルファスナーが設けられている毛髪保持具。
【請求項６】
前記筒状体の一端の開口部の端部における前記一方の面を形成するシートも、該端部から該筒状体の長手方向に一体的に延出する延設部を有し、前記メカニカルファスナーが、前記一方の面を形成するシートから延出する該延設部における該一方の面側に設けられている請求項５記載の毛髪保持具。
【請求項７】
前記筒状体の一方の面を形成するシート及び／又は前記筒状体の他方の面を形成するシート若しくは前記筒状体の他方の面を形成するシート材に、該筒状体の短手方向に長い形状の複数個の空隙部が、該筒状体の長手方向に離間して直列に形成されている請求項１〜６の何れかに記載の毛髪保持具。
【請求項８】
前記筒状体が形状記憶性を有している請求項１〜７の何れかに記載の毛髪保持具。
【発明の詳細な説明】
【０００１】
【発明の属する技術分野】
本発明は、パーマ等により毛髪にカールを付与する場合に、毛髪束を所定の形状に巻回するときの補助具として用いられる毛髪保持具に関する。
【０００２】
【従来の技術及び発明が解決しようとする課題】
毛髪にカールを付与する方法としては、筒状のカーラーに毛髪を巻回する方法が一般的である。この方法を用いて毛髪に種々の巻径でカールを付与するためには、それらの巻径に対応する外径を有するカーラーを多数個用意する必要がある。
一方、特開平１０−１９２０３６号公報には、扁平筒状の毛髪巻取具が提案されている。このような毛髪巻取具によれば、毛髪束が取り扱いが容易である。そして、前記公報には、毛髪巻取具の巻回状態保持のため、両端に互いに係止可能な面ファスナーが取り付けられた帯状物を取り付けることが記載されている。
【０００３】
しかし、前記毛髪巻取具の扁平面の両面にそれぞれ面ファスナーの帯状物を設けたものでは、該毛髪巻取具に毛髪束を挿入して該毛髪巻取具を巻回すると、面ファスナーの帯状物の影響で毛髪巻取具をスムーズに巻回することができない。無理に巻回すると、内側のシートと外側のシートとの巻径差（周差）により必然的に歪みが生じてしまう。この歪みは筒状の毛髪保持具に挿入する毛髪束が増えるほど、また毛髪に曲率の大きなウェーブを付けようとするほど顕著になる。また、歪みを解消しない状態でくせ付けを行うとムラになり易く綺麗な円形なウェーブにならず、不均一な多角形のウエーブが形成されてしまう。
【０００４】
従って、本発明の目的は、毛髪束を容易且つ確実に所定の形状に巻回し、その形状を保持することができる毛髪保持具を提供することにある。
【０００５】
【特許文献１】
特開平１０−１９２０３６号公報
【０００６】
【課題を解決するための手段】
本発明は、一端の開口部から他端の開口部に向けて毛髪束を挿通可能にシートにより構成された扁平形状の筒状体からなり、前記筒状体の一方の面を形成するシートは、オスのメカニカルファスナーと係合する係合シートからなり、該一方の面を形成するシートのテーバーこわさが０．４ｍＮ・ｍ以下であり、前記筒状体の他方の面を形成するシートは、そのテーバーこわさが前記一方の面を形成するシートのテーバーこわさよりも大きく、前記筒状体の他方の面には、少なくとも前記一端の開口部の近傍に、前記係合シートと係合し得るオスのメカニカルファスナーが設けられている毛髪保持具を提供することにより、上記目的を達成したものである。
【０００７】
また、本発明は、一端の開口部から他端の開口部に向けて毛髪束を挿通可能にシートにより構成された扁平形状の筒状体からなり、前記筒状体の一方の面を形成するシートは、そのテーバーこわさが０．４ｍＮ・ｍ以下であり、前記筒状体の他方の面を形成するシート材は、基材シートと該基材シートの表面にその長手方向に亘って貼り合わされた係合シートとからなり、該他方の面を形成するシート材のテーバーこわさが前記一方の面を形成するシートのテーバーこわさよりも大きく、前記筒状体の一端の開口部の端部における少なくとも前記他方の面を形成するシート材は、該端部から該筒状体の長手方向に一体的に延出する延設部を有し、前記他方の面を形成するシート材から延出する前記延設部には、前記筒状体の一端の開口部と連通する挿通開口部が形成されており、該他方の面を形成するシート材から延出する該延設部又は前記一方の面を形成するシートから延出する該延設部における該一方の面側に、前記係合シートと係合し得るオスのメカニカルファスナーが設けられている毛髪保持具を提供することにより、上記目的を達成したものである。
【０００８】
【発明の実施の形態】
以下、本発明の毛髪保持具を、その好ましい一実施形態である第１実施形態について、図１及び図２を参照して説明する。
第１実施形態の毛髪保持具１は、図１及び図２に示すように、一端の開口部２１から他端の開口部２２に向けて毛髪束３を挿通可能にシートにより構成された扁平形状の筒状体２からなり、前記筒状体２の一方の面を形成するシート２３Ａは、オスのメカニカルファスナー５Ａと係合する係合シートからなり、該一方の面を形成するシート２３Ａのテーバーこわさが０．４ｍＮ・ｍ以下であり、前記筒状体２の他方の面を形成するシート２３Ｂは、そのテーバーこわさが前記一方の面を形成するシート２３Ａのテーバーこわさよりも大きく、前記筒状体２の他方の面には、少なくとも前記一端の開口部２１の近傍に、前記係合シートと係合し得るオスのメカニカルファスナー５Ａが設けられている。
【０００９】
第１実施形態の毛髪保持具１について更に詳述する。
前記筒状体２は、図１に示すように、２枚の矩形状のシートを、その長手方向に沿う側縁部２４、２４同士を接合させて形成されている。
筒状体２の大きさは、長さ５０〜３５０ｍｍ、長径２０〜１００ｍｍ、短径０〜３０ｍｍであることが好ましく、毛髪の長さやくせ付けしたい場所、挿入する毛髪束の量に応じて適宜選択できる。
【００１０】
筒状体２の一方の面を形成するシート２３Ａを構成する係合シートは、前記オスのメカニカルファスナー５Ａ及び後記オスのメカニカルファスナー５Ｂと係合し得る不織布で形成されており、ポリエチレン不織布、ポリエチレンテレフタレート不織布等が用いられる。本実施形態においては、毛髪処理剤に対して透過性を有するポリエチレン不織布が用いられている。
オスのメカニカルファスナーと係合する係合シートとしては、不織布以外にも、織布、布等を用いることができる。
【００１１】
筒状体２の他方の面を形成するシート２３Ｂを構成するシートとしては、各種可撓性材料が用いられ、例えば、不織布（ポリエチレン不織布、ポリエチレンテレフタレート不織布等）、織布、多孔性又は非多孔性の樹脂フィルム（ポリエチレンフィルム、ポリエチレンテレフタレートフィルム等）、紙、高分子材料シート、ゴムシート、又はこれらの複合体等が挙げられる。
【００１２】
筒状体２の一方の面を形成するシート２３Ａのテーバーこわさは、０．４ｍＮ・ｍ以下である。該テーバーこわさが０．４ｍＮ・ｍ以下であると、筒状体２を綺麗に巻回することが可能になり、筒状体２の巻径差を小さくでき、結果的に綺麗なウエーブを形成することが可能である。
【００１３】
筒状体２の他方の面を形成するシート２３Ｂのテーバーこわさは、一方の面を形成するシート２３Ａのテーバーこわさよりも大きくなっている。筒状体２の他方の面を形成するシート２３Ｂのテーバーこわさが一方の面を形成するシート２３Ａのテーバーこわさよりも大きくなっていると、筒状体２の巻径が決まり易い。更に好ましくは、他方の面を形成するシート２３Ｂのテーバーこわさは、０．５〜１０ｍＮ・ｍである。
尚、前記「テーバーこわさ」は、ＪＩＳ  Ｐ８１２５に規定される「こわさ試験方法」により測定されるテーパーこわさである。
【００１４】
前記オスのメカニカルファスナー５Ａは、図１（ａ）に示すように、前記筒状体２の他方の面２３Ｂにおける前記一端の開口部２１の近傍から長手方向中央部の近傍に亘って設けられている。詳細には、メカニカルファスナー５Ａの配設範囲は、他方の面２３Ｂにおける一端の開口部２１の端部より若干の間隔を置いた位置から、他方の面２３Ｂにおける長手方向中央部から若干他端の開口部２２寄りである。
【００１５】
ここで、「（筒状体の）一端の開口部の近傍」には、一端の開口部２１の端部自体のみならず、図１（ａ）に示す第１実施形態のような、一端の開口部２１の端部から若干の間隔を置いた位置が含まれる。「（筒状体の）長手方向中央部」には、筒状体２における一端の開口部２１と他端の開口部２２とを長手方向に２分する位置に限られず、該２分する位置から若干一端部の開口部２１寄りの位置が含まれる。
【００１６】
また、図１（ａ）に示すように、前記係合シートと係合し得るオスのメカニカルファスナー５Ｂが、前記筒状体２の他方の面２３Ｂにおける前記他端の開口部２２の近傍にも設けられている。
「（筒状体の）他端の開口部の近傍」には、他端の開口部２２の端部自体のみならず、図１（ａ）に示す第１実施形態のような、他端の開口部２２の端部から若干の間隔を置いた位置が含まれる。
【００１７】
また、前記筒状体２には、その巻径に対応して目印４Ａ、４Ｂ及び４Ｃが付されている。詳述すると、筒状体２の一方の面２３Ａには、他端の開口部２２の端部からそれぞれ所定間隔を置いて、目印４Ａ、４Ｂ及び４Ｃが、筒状体２の幅方向に亘る直線状に印刷されて設けられている。例えば、筒状体２の他端の端部２２を目印４Ａ、４Ｂ又は４Ｃに一致させて、筒状体２を巻回することにより、筒状体２を目印４Ａ、４Ｂ又は４Ｃに応じた所定の巻径で巻回することができるようになっている。
【００１８】
次に、本発明の毛髪保持具の第１実施形態の一使用態様として、パーマ処理により毛髪（頭髪）に直接カールを付与する場合について、図２及び図３を参照しながら説明する。
先ず、毛髪束３の量や得ようとするカール形状に応じて、適当な長さ及び幅を有する筒状体２からなる毛髪保持具１を用い、図２（ａ）に示すように、筒状体２の一端の開口部２１を楕円形状に開口して毛髪束３を該開口部２１の中へ挿入する。そして、毛髪束３を、その先端が筒状体２の他端の開口部２２から少しはみ出るまで、筒状体２に挿通させる。
【００１９】
毛髪束３を筒状体２に挿通させた後、図２（ｂ）に示すように、筒状体２をその他端の開口部２２の側から、一方の面２３Ａを内側にして巻回する。その際、筒状体２の他端の開口部２２の端部を一方の面２３Ａに付された目印４Ｂに一致させる。尚、筒状体２の巻径を小さくする場合には目印４Ａに一致させればよく、筒状体２の巻径を大きくする場合には目印４Ｃに一致させればよい。
【００２０】
筒状体２の他端の開口部２２の端部を目印４Ｂに一致させた状態で筒状体２の巻回を始めると、先ず、筒状体２の他方の面２３Ｂの他端の開口部２２の近傍に設けられたオスのメカニカルファスナー５Ｂが、筒状体２の一方の面を形成するシート２３Ａを構成する係合シートに係合する。そのため、筒状体２の巻径が固定される。
【００２１】
筒状体２の巻回を続けると、図２（ｃ）に示すように、筒状体２の他方の面２３Ｂに設けられたオスのメカニカルファスナー５Ａにおける長手方向中央部寄りの部分が、筒状体２の一方の面を形成するシート２３Ａを構成する係合シートに係合する。
【００２２】
この状態で筒状体２の巻回を更に続けると、図２（ｄ）に示すように、筒状体２の一方の面を形成するシート２３Ａを構成する係合シートの端部と、他方の面２３Ｂに設けられたメカニカルファスナー５Ａとが係合する。そのため、図３に示すように、筒状体２の巻回状態が固定された状態で、使用者の頭髪に毛髪保持具１が固定される。
【００２３】
その後、筒状体２の外側からパーマ用の毛髪処理剤を毛髪束３に付与する。毛髪処理剤は、該毛髪処理剤に対して透過性を有する前記シート２３Ａを介して、毛髪束３に付与される。所定時間後、筒状体２から毛髪束３を挿脱し、洗髪等して、パーマ処理を完了する。
【００２４】
尚、筒状体２の開口部２１から毛髪束３を挿入させる際に、必要に応じ、該開口部２１を真円状に開口した方が、毛髪束３をスムーズに挿入させ易い。また、毛髪束をフック可能なフック部が設けられた毛髪挿入具を用いると、毛髪束３を筒状体２に容易に挿通できる。また、必ずしも、毛髪束３の先端を筒状体２の他端の開口部２２からはみ出させる必要はない。
【００２５】
本実施形態の毛髪保持具１によれば、筒状体２の一方の面を形成するシート２３Ａのテーバーこわさが０．４ｍＮ・ｍ以上であり、且つ筒状体２の他方の面を形成するシート２３Ｂのテーバーこわさが一方の面を形成するシート２３Ａのテーバーこわさよりも大きいため、毛髪束３が挿通された筒状体２を綺麗な円形に巻回し易い。筒状体２の他端の開口部２２の近傍に設けられたメカニカルファスナー５Ｂにより、容易に筒状体２の巻径を決めることができる。筒状体２の一端の開口部２１の近傍に設けられたメカニカルファスナー５Ａにより、容易に筒状体２の巻回状態を決めることができる。また、前述した手順で筒状体２の他端の開口部２２の端部を、一方の面２３Ａに付された目印４Ａ、４Ｂ又は４Ｃに一致させることにより、毛髪束３を容易に所定の３種類の巻径の巻回状態に固定（保持）できる。
【００２６】
次に、本発明の毛髪保持具の他の実施形態について説明する。これらの実施形態については、図１に示す第１実施形態と異なる点についてのみ説明し、特に説明しない点については、図１に示す第１実施形態に関する説明が適宜適用される。そして、他の実施形態の毛髪保持具においても、図１に示す第１実施形態の毛髪保持具と同様に、毛髪束３が挿通された筒状体２を綺麗な円形に巻回し易く、容易に筒状体２の巻回状態を決めることができ、毛髪束３を容易に所定の複数種の巻径の巻回状態に固定できる。
【００２７】
図４に示す実施形態は、図１に示す実施形態の一部の形態を変更した別の実施形態であり、図４に示す実施形態の毛髪保持具１においては、図１に示す実施形態に比して、筒状体２の他方の面２３Ｂにおける一方の開口部２１の近傍に設けられたメカニカルファスナー５Ａが、その長さが短く、筒状体２の他方の面２３Ｂにおける長手方向中央部に亘っていない。それ以外の構成については、図１に示す実施形態と同様である。
【００２８】
図４に示す実施形態の毛髪保持具１によれば、筒状体２を半分程度巻回したとき〔図２（ｃ）に対応する状態〕に、メカニカルファスナー５Ａと筒状体２の一方の面を形成するシート２３Ａを構成する係合シートとが係合していないため、図１に示す実施形態ほどの巻回途中での安定性が得られないが、その一方、筒状体２の他方の面を形成するシート２３Ｂが一層滑らかに曲がるため、筒状体２を更に綺麗な円形で巻回することができる。
【００２９】
図５に示す実施形態は、図４に示す実施形態の一部の形態を変更した更に別の実施形態である。図５に示す実施形態の毛髪保持具１においては、図４に示す実施形態に比して、筒状体２の他方の面２３Ｂにおける他端の開口部２２の近傍に設けられたメカニカルファスナー５Ｂが設けられていない。それ以外の構成については、図４に示す実施形態と同様である。
【００３０】
図５に示す実施形態の毛髪保持具１によれば、図４に示す実施形態に比して、筒状体２を一巻き巻回した際に、その巻径で筒状体２を固定することはできないが、その点を除けば、図４に示す実施形態の毛髪保持具１と同様に使用することができ、同様の効果が得られる。
【００３１】
次に、本発明の毛髪保持具を、その好ましい一実施形態である第２実施形態について、図６及び図７を参照して説明する。
第２実施形態の毛髪保持具１は、図６及び図７に示すように、一端の開口部２１から他端の開口部２２に向けて毛髪束３を挿通可能にシートにより構成された扁平形状の筒状体２からなり、前記筒状体２の一方の面を形成するシート２３Ａは、そのテーバーこわさが０．４ｍＮ・ｍ以下であり、前記筒状体２の他方の面を形成するシート材２３Ｂは、基材シート２５と該基材シート２５の表面にその長手方向に亘って貼り合わされた係合シート２６とからなり、該他方の面を形成するシート材２３Ｂのテーバーこわさが前記一方の面を形成するシート２３Ａのテーバーこわさよりも大きい。また、前記筒状体２の一端の開口部２１の端部における前記他方の面を形成するシート材２３Ｂは、該端部から該筒状体２の長手方向に一体的に延出する延設部６Ｂを有し、該延設部６Ｂには、前記筒状体２の一端の開口部２１と連通する挿通開口部６１Ｂが形成されている。
【００３２】
また、前記筒状体２の一端の開口部２１の端部における前記一方の面を形成するシート２３Ａも、該端部から該筒状体２の長手方向に一体的に延出する延設部６Ａを有する。そして、該延設部６Ａにおける該一方の面側に、前記係合シート２６と係合し得るオスのメカニカルファスナー５Ｃが設けられている。
【００３３】
第２実施形態の毛髪保持具１について更に詳述する。
前記筒状体２は、図１に示すように、前記シート２３Ａと前記シート材２３Ｂとを、その長手方向に沿う側縁部２４、２４同士を接合させて形成されている。尚、図６、図８及び図９における２点鎖線は、筒状体２と延設部６との境界を示す仮想線である。
【００３４】
第２実施形態における前記シート２３Ａは、第１実施形態のおける他方の面を形成するシート２３Ｂと同じシートで形成されている。第２実施形態における前記シート２３Ａには、第１実施形態と同様に、筒状体２の巻径に対応する目印４Ａ〜４Ｃが付されている。
【００３５】
第２実施形態における前記シート２３Ｂは、基材シート２５と該基材シート２５のほぼ全面に（筒状体２の一端の開口部２１近傍を除いて）貼り合わされた係合シート２６とからなる。基材シート２５は、第２実施形態における前記シート２３Ａと同じシートで形成されている。第２実施形態における係合シート２６は、第１実施形態における係合シートと同じシートで形成されている。基材シート２５と係合シート２６との貼り合わせは、公知の手段によりなされている。
【００３６】
一方の面を形成するシート２３Ａから延出する延設部６Ｂは、該シート２３Ａと、一端の開口部２１の端部で一体的に構成されている。延設部６Ａにおける一端の開口部２１寄りには、該開口部２１に沿って延びるように、矩形の挿入開口部６１Ａが形成されている。
また、他方の面を形成するシート材２３Ｂから延出する延設部６Ａは、該シート材２３Ｂの基材シート２５と、一端の開口部２１の端部で一体的に構成されている。延設部６Ｂにおける一端の開口部２１寄りには、該開口部２１に沿って延びるように、矩形の挿入開口部６１Ｂが形成されている。
【００３７】
尚、延設部６Ａの挿入開口部６１Ａは、製造の便宜上、延設部６Ｂの挿入開口部６１Ｂと同時に形成されるものであり、後述する図７に示す使用態様の説明からも明らかなように、実使用上は必要のないものである。
そして、延設部６Ａと延設部６Ｂとがそれぞれの側縁部同士を接合させて、扁平筒状の延設部６を構成している。延設部６Ａにおけるその上端部と挿入開口部６１Ａとの間には、筒状体２の他方の面を形成するシート材２３Ｂの係合シート２６と係合し得るオスのメカニカルファスナー５Ｃが設けられている。
【００３８】
次に、本発明の毛髪保持具の第２実施形態の一使用態様として、パーマ処理により毛髪（頭髪）に直接カールを付与する場合について、図７を参照しながら説明する。図２に示す第１実施形態の一使用態様と同じ点については、適宜説明を省略する。尚、図７（ａ）と図７（ｂ）〜（ｄ）とは、見る方向が相互に反対である。
【００３９】
先ず、図７（ａ）に示すように、筒状体２の一端の開口部２１を楕円形状に開口し、毛髪束３を他方のシート２３Ｂの側から延設部６Ｂの挿通開口部６１Ｂを介して該開口部２１の中へ挿入する。そして、図７（ｂ）に示すように、毛髪束３を、その先端が筒状体２の他端の開口部２２から少しはみ出るまで、筒状体２に挿通させる。
毛髪束３を筒状体２に挿通させた後、筒状体２をその他端の開口部２２の側から、一方の面２３Ａを内側にして巻回する。その際、筒状体２の他端の開口部２２の端部を一方の面２３Ａに付された目印４Ａ〜４Ｃの何れかに一致させる。
【００４０】
次いで、図７（ｃ）に示すように、筒状体２の他端の開口部２２の端部を目印４Ａ〜４Ｃに一致させた状態で筒状体２を巻回する。更に、図７（ｄ）に示すように、延設部６Ａに設けられたメカニカルファスナー５Ｃと、筒状体２の他方の面を形成するシート材２３Ｂを構成する係合シート２６に係合する。そのため、筒状体２の巻径が固定される。その後、所定のパーマ処理を行うことができる。
このように、図６に示す第２実施形態の毛髪保持具１においても、図１に示す第１実施形態と同様に使用することができ、同様の効果が得られる。特に、図６に示す第２実施形態の毛髪保持具１によれば、毛髪束３を根元まで巻回することができる。
【００４１】
図８に示す実施形態は、図６に示す実施形態の一部の形態を変更した別の実施形態であり、図８に示す実施形態の毛髪保持具１においては、図６に示す実施形態に比して、一方の面を形成するシート２３Ａから延出する延設部６Ａを有しておらず、延設部６が他方の面を形成するシート材２３Ｂから延出する延設部６Ｂのみから構成されている。また、オスのメカニカルファスナー５Ｃが、延設部６Ｂの前記一方の面２３Ａ側に設けられている。それ以外の構成については、図６に示す実施形態と同様である。
このように構成された図８に示す実施形態の毛髪保持具１においても、図６に示す実施形態と同様に使用することができ、同様の効果が得られる。
【００４２】
図９に示す実施形態は、図６に示す実施形態の一部の形態を変更した更に別の実施形態であり、図９に示す実施形態の毛髪保持具１においては、図６に示す実施形態に比して、筒状体２の一方の面を形成するシート２３Ａ及び他方の面を形成するシート材２３Ｂの基材シート２５に、該筒状体２の短手方向に長い形状の複数個の空隙部２７が該筒状体２の長手方向に離間して直列に形成されている。一方の面を形成するシート２３Ａには、図６に示す実施形態のような、印刷による目印が付されていないが、図９に示す実施形態においては、空隙部２７自体を目印とすることができる。
【００４３】
また、係合シート２６は、基材シート２５よりも長さ及び幅が短くなっており、そのため、他方の面を形成するシート材２３Ｂにおいて、基材シート２５に形成された空隙部２７の一部が露出している。尚、筒状体２に空隙部２７を形成する方法について特に制限はなく、例えば、シートの形成後に切断、打ち抜き等で形成することができる。それ以外の構成については、図６に示す実施形態と同様である。
【００４４】
このように構成された図９に示す実施形態の毛髪保持具１においても、図６に示す実施形態と同様に使用することができ、同様の効果が得られる。特に、筒状体２に空隙部２７が形成されていると、シート全体のテーバーこわさが小さくなり、筒状体を巻回し易くなる。
【００４５】
本発明の毛髪保持具においては、前記筒状体の一方の面を形成するシート及び／又は前記筒状体の他方の面を形成するシート若しくは前記筒状体の他方の面を形成するシート材に、該筒状体の短手方向に長い形状の複数個の空隙部が、該筒状体の長手方向に離間して直列に形成されていてもよい。このように空隙部が形成されていると、シート全体のテーバーこわさが小さくなり、筒状体を巻回し易くなる。
【００４６】
本発明の毛髪保持具においては、前記筒状体が形状記憶性を有していると好ましい。このように筒状体が形状記憶性を有していると、筒状体に毛髪束を挿入したときに、毛髪束を抑え付けるような力が働き、毛髪保持具のズレ落ちや位置ズレの発生が少ない。
【００４７】
本発明の毛髪保持具は、前述した実施形態に制限されることなく、本発明の趣旨を逸脱しない限り、適宜変更が可能である。
本発明の前記実施形態のそれぞれ異なる部分を、適宜変更したり組み合わせた形態とすることもできる。
【００４８】
本発明の毛髪保持具においては、筒状体は、その一端が開口し且つその他端に閉口可能な手段を設けてあるものでもよい。筒状体は、その形成方法について特に制限はなく、シートを縫合、融着又は接着して形成したものでも、押出成形等により当初から筒状に形成したものでもよい。
尚、本発明の毛髪保持具における「筒状体」を構成するシート材の形状及びその表面状態は、上述の形態の筒状体を形成可能なものであれば良く、「扁平状」という場合、シート材の表面は、凹凸面であってもよい。
【００４９】
また、本発明の毛髪保持具は、パーマ処理により毛髪にカールを付与する場合に限らず、毛髪束を巻回した後、ドライヤー等により熱処理したり、乾燥した毛髪を巻回状態で保持したり、濡れた状態の毛髪を巻回状態で保持し自然乾燥させたりして、毛髪にカールを付与する場合等にも適用することができる。尚、毛髪に市販の整髪料を付与した後に、前述の方法によってくせ付けしても良い。
【００５０】
【発明の効果】
本発明の毛髪保持具によれば、毛髪束を容易且つ確実に所定の形状に巻回し、その形状を保持することができる。
【図面の簡単な説明】
【図１】図１は、本発明の第１実施形態の毛髪保持具を示す斜視図で、（ａ）はオスのメカニカルファスナー側から見た図、（ｂ）は係合シート側から見た図である。
【図２】図２は、本発明の第１実施形態の毛髪保持具の一使用態様を示す図で、（ａ）、（ｂ）、（ｃ）及び（ｄ）は、それぞれ毛髪束の巻回手順を順次示す斜視図である。
【図３】図３は、第１実施形態の毛髪保持具を用いて毛髪束にカールを付与している状態を示す斜視図である。
【図４】図４は、本発明の第１実施形態の毛髪保持具の一部を変更した別の実施形態を示す斜視図で、オスのメカニカルファスナー側から見た図である。
【図５】図５は、本発明の第１実施形態の毛髪保持具の一部を変更した更に別の実施形態を示す斜視図で、オスのメカニカルファスナー側から見た図である。
【図６】図６は、本発明の第２実施形態の毛髪保持具を示す図で、（ａ）は係合シート側から見た図、（ｂ）は（ａ）の反対側から見た図である。
【図７】図７は、本発明の第２実施形態の毛髪保持具の一使用態様を示す図で、（ａ）、（ｂ）、（ｃ）及び（ｄ）は、それぞれ毛髪束の巻回手順を順次示す斜視図である。
【図８】図８は、本発明の第２実施形態の毛髪保持具の一部を変更した別の実施形態を示す斜視図で、（ａ）は係合シート側から見た図、（ｂ）は（ａ）の反対側から見た図である。
【図９】図９は、本発明の第２実施形態の毛髪保持具の一部を変更した更に別の実施形態を示す斜視図で、（ａ）は係合シート側から見た図、（ｂ）は（ａ）の反対側から見た図である。
【符号の説明】
１  毛髪保持具
２  筒状体
２１、２２  開口部
２３Ａ、２３Ｂ  シート（シート材）
２４  側縁部
２５  基材シート
２６  係合シート
２７  空隙部
３  毛髪束
４Ａ、４Ｂ、４Ｃ  目印
５Ａ、５Ｂ、５Ｃ  メカニカルファスナー
６、６Ａ、６Ｂ  延設部
６１Ａ、６１Ｂ  挿通開口部
【図１】
2004222766.tif 000003
【図２】
2004222766.tif 000004
【図３】
2004222766.tif 000005
【図４】
2004222766.tif 000006
【図５】
2004222766.tif 000007
【図６】
2004222766.tif 000008
【図７】
2004222766.tif 000009
【図８】
2004222766.tif 000010
【図９】
2004222766.tif 000011